(57)【特許請求の範囲】
【請求項１】
計算機のメモリに格納される戸籍情報処理プログラムを実行することによって、戸籍出生届の情報を入力するための複数の入力欄から構成される入力画面を表示画面上に表示し、入力装置を介して前記入力欄に入力された届出データを記憶装置上の届書ファイルに記録し、次いで前記届書ファイル上の前記届出データを前記記憶装置上の戸籍データベースに登録する方法において、前記戸籍情報処理プログラムを実行することによって、
前記複数の入力欄のうち情報入力に必要な入力欄を選択するために、生まれた子の身分が嫡出子であるか否か、および父と母の各々について日本国籍、外国籍、なしのいずれであるかを示す選択肢情報を前記表示装置上に表示し、
父または母が外国籍の場合には、父または母に関する入力欄の１つとして外国人区分の入力欄を設け、前記子の身分が嫡出子でないとき、母あり、父なしの場合には父に関する入力欄をなしとし、父母ともなしの場合には父母に関する入力欄をなしとするように、選択された前記選択肢情報から必要な前記入力欄を一意的に決定し、
決定された前記入力欄の組合せを設定した入力画面を前記表示装置上に表示することを特徴とする戸籍届書入力画面の表示方法。
【請求項２】
コンピュータに、戸籍出生届の情報を入力するための複数の入力欄から構成される入力画面を表示画面上に表示し、入力装置を介して前記入力欄に入力された届出データを記憶装置上の届書ファイルに記録し、次いで前記届書ファイル上の前記届出データを前記記憶装置上の戸籍データベースに登録する機能を実現させるためのプログラムにおいて、コンピュータに、
前記複数の入力欄のうち情報入力に必要な入力欄を選択するために、生まれた子の身分が嫡出子であるか否か、および父と母の各々について日本国籍、外国籍、なしのいずれであるかを示す選択肢情報を前記表示装置上に表示する機能、
父または母が外国籍の場合には、父または母に関する入力欄の１つとして外国人区分の入力欄を設け、前記子の身分が嫡出子でないとき、母あり、父なしの場合には父に関する入力欄をなしとし、父母ともなしの場合には父母に関する入力欄をなしとするように、選択された前記選択肢情報から必要な前記入力欄を一意的に決定する機能、および
決定された前記入力欄の組合せを設定した入力画面を前記表示装置上に表示する機能を実現させるためのプログラム。
【発明の詳細な説明】
【０００１】
【発明の属する技術分野】
本発明は、戸籍情報システムに係わり、特に届書の情報を入力するための入力画面を設定する技術に関する。
【０００２】
【従来の技術】
戸籍事務を電子計算機化した戸籍情報システムが普及している。出生届、婚姻届などの届出書の情報は入力画面を介して計算機に入力され、戸籍データベースに登録される。また証明書請求の指示に応じて戸籍データベースから必要な戸籍情報が取得され、各種の証明書が発行される。
【０００３】
届書の情報を入力するための入力画面の形式については、標準的な仕様書が設定されており、各戸籍情報システムは、この標準仕様書に基づいて画面設計をしている。図３は、出生届の入力画面の形式例を示している。
【０００４】
【発明が解決しようとする課題】
図３に示すように、出生届入力画面は、父と母についての情報を入力する領域が２つ設定されている。すなわち「生まれた子の父と母」の領域と「その他届書」の領域であり、前者は入るべき戸籍の父および／または母についての情報を入力する領域であり、後者は届書の父および／または母についての情報を入力する領域である。紙の出生届上には「生まれた子の父と母」の領域しかないので、端末の操作者は出生子が嫡出子か非嫡出子か、父母が日本人か外国人か等に応じて情報を入力すべき父欄及び母欄を判別しなければならず、入力する領域の選択ミスが多かった。
【０００５】
本発明の目的は、入力誤りを防止するような届書入力画面を設定することにある。
【０００６】
【課題を解決するための手段】
本発明は、戸籍届書の情報を入力するための複数の入力欄から構成される入力画面を表示する方法において、届書の情報に基づいて複数の入力欄のうち情報入力に必要な入力欄の組合せを選択して表示する方式を特徴とする。
【０００７】
また本発明は、複数の設問から成り、各々の設問に対して複数の回答の選択肢が設定される設問画面を表示し、選択された回答の選択肢から一意的に決定されるところの複数の入力欄のうち情報入力に必要な入力欄の組合せを設定した届書入力画面を表示する方式を特徴とする。
【０００８】
【発明の実施の形態】
以下、本発明の一実施形態について図面を用いて説明する。
【０００９】
図１は、戸籍情報システムの構成を示す図である。計算機１０には、届書ファイル１２を格納する記憶装置、戸籍ＤＢ（データベース）１３を格納する記憶装置、入力装置１４及び表示装置１５を接続する。戸籍情報処理プログラム１１は、計算機１０のメモリに格納され、計算機１０によって実行されるプログラムである。戸籍情報処理プログラム１１は、表示装置１５上に各種届書の入力画面を表示する。出生届の場合には、戸籍情報処理プログラム１１は、まず後述の設問画面を表示し、子の身分、父の国籍及び母の国籍が入力されたとき、その入力条件に応じた出生届入力画面を構成して表示装置１５上に表示する。入力装置１４を介して届出データが入力されると、戸籍情報処理プログラム１１は、入力されたデータを一時的に届書ファイル１２に記録した後に、戸籍ＤＢ１３に登録する。なお本戸籍情報システムをサーバ・クライアント型のシステムで構成してもよい。その場合には、戸籍情報処理プログラム１１、入力装置１４及び表示装置１５をクライアント計算機側に設け、届書ファイル１２及び戸籍ＤＢ１３とファィル管理及びデータベース管理プログラムをサーバ計算機側に設ける。サーバ計算機とクライアント計算機とは、ネットワークを介して接続される。
【００１０】
図２は、表示装置１５上に表示され、出生届入力画面を設定するときの情報を取得するための設問画面の例を示す図である。生まれた子の身分については、嫡出子又は嫡出でない子のいずれかが選択可能である。父の国籍については、日本国籍、外国籍又は父なしのいずれかが選択可能である。母の国籍については、日本国籍、外国籍又は母なしのいずれかが選択可能である。なおこの設問画面を介して入力される情報は、紙の届書が存在する場合にはすべて紙の出生届上に記載された情報又は記載されない欄に基づいて入力可能なものである。紙の届書が存在しない場合には、この設問画面を介して入力される情報と次の出生届入力画面を介して入力される情報とが届書の情報に相当する。
【００１１】
図３は、従来の出生届入力画面の例を示す図である。出生届入力画面は、受付に関する情報を入力する領域、生まれた子についての情報を入力する領域、生まれた子の父と母についての情報を入力する領域（入るべき戸籍がある場合の入力領域）、届書の父と母についての情報を入力する領域および届出人についての情報を入力する領域を有する。これらの領域の中で本発明に関連するのは、生まれた子の父と母についての情報を入力する領域および届書の父と母についての情報を入力する領域である。
【００１２】
図４は、本実施例の出生届入力画面上で生まれた子の父と母についての情報を入力する領域の形式例を示す図である。図４（ａ）は、父欄及び母欄とも図３の生まれた子の父と母の領域の父欄及び母欄の情報を入力するよう構成されている。この場合には届書の父と母についての情報を入力する領域が表示されない。図４（ｂ）は、父欄が図３の生まれた子の父と母の領域の父欄、母欄が届書の父と母についての情報を入力する領域の母欄の情報を入力するよう構成されている。その他の父欄及び母欄は表示されない。図４（ｃ）は、父欄が図３の届書の父と母についての情報を入力する領域の父欄、母欄が図３の生まれた子の父と母の領域の母欄の情報を入力するよう構成されている。その他の父欄及び母欄は表示されない。図４（ｄ）は、父欄及び母欄とも図３の届書の父と母についての情報を入力する領域の父欄及び母欄の情報を入力するよう構成されている。この場合には図３の生まれた子の父と母の領域が表示されない。図示していないが、本実施例の生まれた子の父と母についての情報を入力する領域のパターンとして、この他に（ｅ）父欄がなく、母欄が図３の生まれた子の父と母の領域の母欄の情報を入力するよう構成されているもの、（ｆ）父欄がなく、母欄が図３の届書の父と母についての情報を入力する領域の母欄の情報を入力するよう構成されているもの、（ｇ）父欄及び母欄が全く表示されないものの３つのパターンがある。
【００１３】
図５は、設問画面を介して入力された子の身分、父国籍及び母国籍の組合せに対応して出生届入力画面の生まれた子の父と母の領域の選択されるパターンを示す真理値表である。図５の画面の種類を示す記号ａ〜ｇは、各々図４及びその説明の（ａ）〜（ｇ）と同じである。本テーブルを計算機１０のメモリに記憶しておくことができる。
【００１４】
戸籍情報処理プログラム１１は、表示装置１５上にメニューとして各種の届書の名称を表示する。入力装置１４を介して出生届が選択されると、表示装置１５上に図２に示す設問画面を表示する。子の身分、父の国籍及び母の国籍が入力されると、上記のテーブルを参照して対応する画面の種類を取得し、各々について生まれた子の父と母の領域を設定した出生届入力画面を表示装置１５上に表示する。１つの出生届入力画面を動的に変更して、生まれた子の父と母の領域がａ〜ｇのいずれかのパターンになるように画面を構成することは可能である。
【００１５】
図６は、上記のテーブルを参照する代わりに戸籍情報処理プログラム１１の処理ロジックによって画面ａ〜ｇのいずれかを選択する場合の処理のフローチャートである。このフローチャートから容易に読み取れるように、設問画面を介して入力された子の身分、父の国籍及び母の国籍に応じて画面ａ〜ｇのいずれかが選択される処理ロジックとなっている。父ありで母なしの場合（ステップ７０ＮＯ）には、表示装置１５上にエラーメッセージを表示する。
【００１６】
【発明の効果】
以上述べたように本発明によれば、届書入力画面上で情報入力に必要な入力欄の組合せが設定されて表示されるので、入力領域の選択ミスを防止できる。また本発明の届書入力画面は、紙の届書の形式から容易に対応づけられる形式となっているので、端末の操作者が誰であっても迷うことなく容易に計算機に情報入力することができる。また入力画面上で不要な入力欄を表示しないので、画面の有効利用を図ることができる。さらに端末の操作者が届出人本人であるような場合に、入力欄の選択によって本人が差別されているというような印象を与えないような入力画面を提供できる。
【図面の簡単な説明】
【図１】実施例の戸籍情報システムの構成図である。
【図２】設問画面の例を示す図である。
【図３】従来の出生届入力画面の例を示す図である。
【図４】実施例の父と母についての情報を入力する領域の形式を示す図である。
【図５】設問に対する回答の組合せに対応して選択される父欄及び母欄の形式例を示す図である。
【図６】父欄及び母欄の形式を選択する処理ロジックの例を示すフローチャートである。
【符号の説明】
１１：戸籍情報処理プログラム、１４：入力装置、１５：表示装置
【図１】
0004015407.tif 000002
【図２】
0004015407.tif 000003
【図３】
0004015407.tif 000004
【図４】
0004015407.tif 000005
【図５】
0004015407.tif 000006
【図６】
0004015407.tif 000007